(57)【要約】【課題】罠の位置情報の管理を容易に行うこと。【解決手段】管理システムは、撮像部と、取得部と、追加部と、送信部と、格納部と、を具備する。撮像部は、設置物の画像を撮像する。取得部は、現在地の位置情報を取得する。追加部は、撮像部によって撮像された画像の画像ファイルに含まれるメタデータに、取得部によって取得された位置情報を追加する。送信部は、画像ファイルを送信する。格納部は、送信部によって送信された画像ファイルに含まれる画像及び位置情報を対応付けて記憶部に格納する。【選択図】図１
2020052661.tif 000002
【特許請求の範囲】
【請求項１】
設置物の画像を撮像する撮像部と；
現在地の位置情報を取得する取得部と；
前記撮像部によって撮像された画像の画像ファイルに含まれるメタデータに、前記取得部によって取得された位置情報を追加する追加部と；
前記画像ファイルを送信する送信部と；
前記送信部によって送信された画像ファイルに含まれる画像及び位置情報を対応付けて記憶部に格納する格納部と
を具備することを特徴とする管理システム。
【請求項２】
前記追加部によって画像ファイルに追加された位置情報が示す位置をマッピングした地図を画面に表示する表示部；
をさらに具備することを特徴とする請求項１に記載の管理システム。
【請求項３】
前記現在地と、前記追加部によって画像ファイルに追加された位置情報が示す位置との間の距離が所定値以下である場合、当該位置に近づいていることを通知する通知部；
をさらに具備することを特徴とする請求項１又は２に記載の管理システム。
【請求項４】
設置物の画像を撮像する撮像部と；
現在地の位置情報を取得する取得部と；
前記撮像部によって撮像された画像の画像ファイルに含まれるメタデータに、前記取得部によって取得された位置情報を追加する追加部と；
前記画像ファイルを格納する格納部に送信する送信部と；
を具備することを特徴とする端末装置。
【請求項５】
設置物の画像を撮像する撮像手順と；
現在地の位置情報を取得する取得手順と；
前記撮像手順によって撮像された画像の画像ファイルに含まれるメタデータに、前記取得手順によって取得された位置情報を追加する追加手順と；
前記画像ファイルを格納する格納部に送信する送信手順と；
をコンピュータに実行させることを特徴とする端末プログラム。
【発明の詳細な説明】
【技術分野】
【０００１】
本発明の実施形態は、管理システム、端末装置及び端末プログラムに関する。
【背景技術】
【０００２】
イノシシやシカといった害獣の駆除のために、罠が設置される場合がある。また、１人のユーザが異なる箇所に多数の罠を設置することがある。そこで、従来、罠の設置場所を管理するための手法が提案されている。
【０００３】
例えば、罠にＧＰＳ（global  positioning  system）機能を持たせ、当該ＧＰＳ機能を用いて取得した罠の位置情報をサーバで一括管理する手法が知られている。また、従来の手法によれば、ユーザは、通信機能を有する端末装置を用いて、サーバで管理されている罠の位置情報を閲覧することができる。
【先行技術文献】
【特許文献】
【０００４】
【特許文献１】特開２０１７−１４６７７８号公報
【発明の概要】
【発明が解決しようとする課題】
【０００５】
しかしながら、従来の手法には、罠の位置情報の管理を容易に実施することができない場合があるという問題がある。例えば、複数の罠のそれぞれにＧＰＳ機能を付与する場合、コストが高くなることが考えられる。
【０００６】
本発明は、罠の位置情報の管理を容易に行うための管理システム、端末装置及び端末プログラムを提供することを目的とする。
【課題を解決するための手段】
【０００７】
本実施形態の管理システムは、撮像部と、取得部と、追加部と、送信部と、格納部と、を具備する。撮像部は、設置物の画像を撮像する。取得部は、現在地の位置情報を取得する。追加部は、撮像部によって撮像された画像の画像ファイルに含まれるメタデータに、取得部によって取得された位置情報を追加する。送信部は、画像ファイルを送信する。格納部は、送信部によって送信された画像ファイルに含まれる画像及び位置情報を対応付けて記憶部に格納する。
【発明の効果】
【０００８】
本発明によれば、罠の位置情報の管理を容易に行うための管理システム、端末装置及び端末プログラムを提供することができる。
【図面の簡単な説明】
【０００９】
【図１】図１は、実施形態に係る管理システムの構成例を示す図である。
【図２】図２は、実施形態に係る端末装置の構成例を示すブロック図である。
【図３】図３は、実施形態に係る画像ファイルの一例を示す図である。
【図４】図４は、実施形態に係るサーバの構成例を示すブロック図である。
【図５】図５は、実施形態に係る配置情報の一例を示す図である。
【図６】図６は、実施形態に係る端末装置の表示部に表示される画面の一例を示す図である。
【図７】図７は、実施形態に係る端末装置の画像送信処理の手順を示すフローチャートである。
【図８】図８は、実施形態に係る端末装置の位置表示処理の手順を示すフローチャートである。
【発明を実施するための形態】
【００１０】
以下で説明する実施形態に係る実施形態の管理システム１は、端末装置１０とサーバ２０とを具備する。端末装置１０は、設置物の画像を撮像する撮像部１１を具備する。端末装置１０は、端末装置１０の現在地の位置情報を取得する取得部１５１を具備する。端末装置１０は、撮像部１１によって撮像された画像の画像ファイルに含まれるメタデータに、取得部１５１によって取得された位置情報を追加する追加部１５２を具備する。端末装置１０は、画像ファイルをサーバ２０に送信する送信部１５３を具備する。サーバ２０は、送信部１５３によって送信された画像ファイルに含まれる画像及び位置情報を対応付けて記憶部に格納する格納部２３３を具備する。
【００１１】
また、以下で説明する実施形態に係る端末装置１０は、追加部１５２によって画像ファイルに追加された位置情報が示す位置をマッピングした地図を画面に表示する表示部をさらに具備する。
【００１２】
また、以下で説明する実施形態に係る端末装置１０は、端末装置１０の現在地と、追加部１５２によって画像ファイルに追加された位置情報が示す位置との間の距離が所定値以下である場合、当該位置に近づいていることを通知する通知部１５５をさらに具備する。
【００１３】
以下、図面を参照して、実施形態に係る管理システムを説明する。実施形態において同一の部位には同一の符号を付し、重複する説明は省略される。図１〜図８を用いて、実施形態に係る管理システムについて説明する。
【００１４】
［管理システムの構成例］
図１は、実施形態に係る管理システムの構成例を示す図である。管理システム１は、屋外に設置された設置物の位置情報を管理するためのシステムである。実施形態では、設置物３０は、害獣駆除等のために設置される罠であるものとする。図１に示すように管理システム１は、端末装置１０及びサーバ２０を有する。また、端末装置１０及びサーバ２０は、ネットワーク２を介して通信可能に接続されている。また、端末装置１０は、カメラ機能等を用いて、設置物３０の画像を撮像する。また、端末装置１０は、ＧＰＳ４０を利用して位置情報を取得する。
【００１５】
例えば、端末装置１０は、スマートフォン、タブレット及びデジタルカメラ等の携帯型の端末装置である。サーバ２０は、端末装置１０から取得した情報の管理を行うサーバである。例えば、サーバ２０は、各装置へのアプリケーションの提供、及びアプリケーションで利用される情報の管理を行う。また、端末装置１０は、サーバ２０に画像ファイル１００を送信する。
【００１６】
図２は、実施形態に係る端末装置の構成例を示すブロック図である。図２に示すように、端末装置１０は、撮像部１１、通信部１２、表示部１３、記憶部１４及び制御部１５を有する。
【００１７】
撮像部１１は、画像を撮影する。撮像部１１は、例えばカメラである。撮像部１１が撮影する画像は静止画であってもよいし、動画であってもよい。
【００１８】
通信部１２は、無線通信処理や有線通信処理を行うためのネットワークデバイスである。例えば、通信部１２は、ネットワーク２を介してサーバ２０との間で各種情報を送受信する。表示部１３は、画面を表示する表示装置である。例えば、表示部１３はタッチパネルディスプレイである。
【００１９】
記憶部１４は、例えば、ＲＡＭ（Random  Access  Memory）、フラッシュメモリ（Flash  Memory）等の半導体メモリ素子、又は、ハードディスク、光ディスク等の記憶装置によって実現される。実施形態に係る記憶部１４は、端末装置１０で実行される各処理で利用されるデータを記憶する。
【００２０】
制御部１５は、各種の処理手順等を規定したプログラム及び所要データを格納するための内部メモリを有し、これらによって種々の処理を実行する。制御部１５は、取得部１５１、追加部１５２、送信部１５３、表示制御部１５４及び通知部１５５を有する。
【００２１】
取得部１５１は、端末装置１０の現在地の位置情報を取得する。例えば、取得部１５１は、ＧＰＳ４０を利用して現在地の緯度経度を取得する。
【００２２】
追加部１５２は、撮像部１１によって撮像された画像の画像ファイルに含まれるメタデータに、取得部１５１によって取得された位置情報を追加する。例えば、追加部１５２は、Ｅｘｉｆ（Exchangeable  image  file  format）（登録商標）のメタデータに位置情報を追加することができる。
【００２３】
図３を用いて、追加部１５２によって位置情報が追加された画像ファイル１００について説明する。図３は、実施形態に係る画像ファイルの一例を示す図である。図３に示すように、画像ファイル１００は、画像データ１０１及びメタデータ１０２を含む。画像データ１０１は、撮像部１１によって撮像された設置物３０の画像を表すデータである。
【００２４】
また、メタデータ１０２は、「日時」及び「場所」といった項目を含む。ここで、追加部１５２は、メタデータ１０２の項目「場所」に位置情報を追加する。図３の例では、メタデータ１０２の項目「日時」の値は「2018/9/5  15:10」である。また、メタデータ１０２の項目「場所」の値は、「34°26'27.0"N  167°39'10.1"E」である。また、追加部１５２は、位置情報以外にも、天気や気温等の外部から取得可能な情報をメタデータ１０２に追加してもよい。
【００２５】
送信部１５３は、画像ファイル１００をサーバ２０に送信する。送信部１５３は、追加部１５２によって位置情報が追加された画像ファイル１００を送信する。また、送信部１４４は、通信機能を備えた記憶媒体（参考ＵＲＬ：https://jp.toshiba-memory.com/product/flashair/sduwa/）であってもよい。
【００２６】
表示制御部１５４は、追加部１５２によって画像ファイルに追加された位置情報が示す位置をマッピングした地図を表示部１３に画面表示させる。また、通知部１５５は、端末装置１０の現在地と、追加部１５２によって画像ファイルに追加された位置情報が示す位置との間の距離が所定値以下である場合、当該位置に近づいていることを通知する。表示制御部１５４及び通知部１５５による処理については後に詳しく説明する。
【００２７】
図４は、実施形態に係るサーバの構成例を示すブロック図である。図４に示すように、サーバ２０は、通信部２１、記憶部２２及び制御部２３を有する。
【００２８】
通信部２１は、無線通信処理や有線通信処理を行うためのネットワークデバイスである。例えば、通信部２１は、ネットワーク２を介して端末装置１０との間で各種情報を送受信する。
【００２９】
記憶部２２は、例えば、ＲＡＭ、フラッシュメモリ等の半導体メモリ素子、又は、ハードディスク、光ディスク等の記憶装置によって実現される。実施形態に係る記憶部２２は、サーバ２０で実行される各処理で利用されるデータを記憶する。記憶部２２は、配置情報２２１を記憶する。
【００３０】
配置情報２２１は、端末装置１０によって送信された画像に、ユーザを識別するユーザＩＤ及びメタデータと対応付けた情報である。図５は、実施形態に係る配置情報の一例を示す図である。図５に示すように、配置情報２２１には、ユーザＩＤ、画像、日時及び位置が含まれる。
【００３１】
例えば、図５の配置情報２２１の１行目は、ユーザ「Ｕ００１」が設置物３０の画像を「2018/9/5  15:10」に、位置「34°26'27.0"N  167°39'10.1"E」で撮像したことを示している。
【００３２】
制御部２３は、各種の処理手順等を規定したプログラム及び所要データを格納するための内部メモリを有し、これらによって種々の処理を実行する。制御部２３は、受信部２３１、認証部２３２、格納部２３３及び送信部２３４を有する。
【００３３】
受信部２３１は、端末装置１０によって送信された画像ファイルを受信する。また、認証部２３２はユーザを認証する。例えば、認証部２３２はユーザＩＤ及びパスワードを使って認証を行う。また、ユーザＩＤ及びパスワードは、画像ファイルとともに送信されるものであってもよい。
【００３４】
格納部２３３は、サーバ２０は、送信部１５３によって送信された画像ファイルに含まれる画像及び位置情報を対応付けて記憶部２２に配置情報２２１として格納する。また、送信部２３４は、認証済みのユーザの要求に応じて、配置情報２２１を送信する。
【００３５】
なお、格納部２３３は、配置情報２２１に、設置物を識別する名称又はＩＤを付与してもよい。また、格納部２３３は、設置物の撤去や移動が行われた場合、配置情報２２１に設置物の設置場所の履歴を格納してもよい。
【００３６】
ここで、図６を用いて、前述の表示制御部１５４及び通知部１５５による処理について説明する。図６は、実施形態に係る端末装置の表示部に表示される画面の一例を示す図である。ここで、端末装置１０は、記憶部１４に、撮像した画像及び位置情報を記憶しているものとする。記憶部１４に記憶され鵜画像及び位置情報は、端末装置１０がサーバ２０へ送ったデータのコピーであってもよいし、サーバ２０の送信部２３４から端末装置１０に送信されたものであってもよい。
【００３７】
図６に示すように、表示部１３は、撮像した設置物の画像及び各設置場所を、地図にマッピングして表示する。また、通知部１５５は、端末装置１０の位置がいずれかの設置場所に近づいた場合、メッセージをポップアップで表示する。図６の例では、通知部１５５は、表示部１３に、「罠の設置場所の付近です。」というメッセージを表示させている。
【００３８】
［処理手順］
図７及び図８を用いて、管理システム１の処理の流れについて説明する。図７は、実施形態に係る端末装置の画像送信処理の手順を示すフローチャートである。また、図８は、実施形態に係る端末装置の位置表示処理の手順を示すフローチャートである。
【００３９】
まず、図７を用いて、端末装置１０の画像送信処理の手順を説明する。図７に示すように、端末装置１０は、ＧＰＳ４０を利用して、現在地の位置情報を取得する（ステップＳ１０１）。次に、端末装置１０は、設置物３０の画像を撮像する。ここで、端末装置１０は、画像ファイルのメタデータに、位置情報を追加する（ステップＳ１０３）。そして、端末装置１０は、画像ファイルをサーバ２０に送信する（ステップＳ１０４）。
【００４０】
次に、図８を用いて、端末装置１０の位置表示処理の手順を説明する。図８に示すように、端末装置１０は、ＧＰＳ４０を利用して、現在地の位置情報を取得する（ステップＳ２０１）。次に、端末装置１０は、現在地周辺の地図を取得する（ステップＳ２０２）。端末装置１０は、地図情報をあらかじめ記憶していてもよいし、地図情報を提供するサーバ等から適宜ダウンロードしてもよい。
【００４１】
ここで、端末装置１０は、サーバ２０に送信済みの画像ファイルのメタデータの位置情報が示す地点が、現在地に近い画像ファイルを取得する（ステップＳ２０３）。つまり、端末装置１０は、現在地付近の設置物を設置した地点の位置情報をメタデータに含む画像ファイルを取得する。そして、端末装置１０は、取得した画像ファイルを基に、画像の撮像位置を地図上に表示する（ステップＳ２０４）。
【００４２】
さらに、端末装置１０は、撮像位置と現在地との間の距離が閾値以下であるか否かを判定する（ステップＳ２０５）。端末装置１０は、撮像位置と現在地との間の距離が閾値以下であると判定した場合（ステップＳ２０５、Ｙｅｓ）、撮像位置が近いことを通知する（ステップＳ２０６）。ここで、端末装置１０を所持したユーザが移動し、現在地が変化するたびに、端末装置１０は図８の手順を実行してもよい。
【００４３】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００４４】
１  管理システム
２  ネットワーク
１０  端末装置
１１  撮像部
１２、２１  通信部
１３  表示部
１４、２２  記憶部
１５、２３  制御部
１５１  取得部
１５２  追加部
１５３、２３４  送信部
１５４  表示制御部
１５５  通知部
２２１  配置情報
２３１  受信部
２３２  認証部
２３３  格納部
【図１】
2020052661.tif 000003
【図２】
2020052661.tif 000004
【図３】
2020052661.tif 000005
【図４】
2020052661.tif 000006
【図５】
2020052661.tif 000007
【図６】
2020052661.tif 000008
【図７】
2020052661.tif 000009
【図８】
2020052661.tif 000010